(57)【要約】      （修正有）【課題】コンタクトレンズを収納容器から取り出す動作及び取り出したコンタクトレンズを装着用器具に載置させる動作が容易であると共に、これらの動作を衛生的に行える装着補助具を提供する。【解決手段】装着補助具は、収納容器から直接手で触れることなくレンズを取り出し、直接手で触れることなくレンズをレンズ装着器具へ載置させるためのレンズ装着補助具であって、装着者が指で持つ部位であって、棒状の柄部と、液体を介してレンズを付着させることによって、収納容器からレンズを取り出す頭部と、を有し、柄部の下部が、平たくなっており、頭部が、柄部が成す軸に対し斜め上方を向いており、かつ、下方向に反り、上面及び下面が丸みを帯びた匙形状をしており、頭部下面に、レンズ凹面を付着させ、レンズ凸面をレンズ装着器具の所定位置に載置させることを特徴とする。【選択図】図１
2014115418.tif 000002
【特許請求の範囲】
【請求項１】
コンタクトレンズ収納容器から直接手で触れることなくコンタクトレンズを取り出し、該コンタクトレンズを、該コンタクトレンズに直接手で触れることなく目に装着するためのコンタクトレンズ装着器具へ載置させるためのコンタクトレンズ装着補助具であって、
前記コンタクトレンズの装着者が操作のために指で持つ部位であって、棒状の柄部と、
前記収納容器内に収納され、液体で表面が濡れた状態の前記コンタクトレンズを、該液体を介して付着させることによって、前記収納容器から前記コンタクトレンズを取り出す頭部と、を有し、
前記柄部の下部が、当該コンタクトレンズ装着補助具を平らな面に静置させるために平たくなっており、
前記頭部が、前記柄部が成す軸に対し斜め上方を向いており、かつ、下方向に反りを有し、上面及び下面が丸みを帯びた匙のような形状をしており、
前記頭部の下面に、前記コンタクトレンズの凹面を付着させ、付着させた該コンタクトレンズの凸面を前記コンタクトレンズ装着器具の所定位置に載置させることを特徴とするコンタクトレンズ装着補助具。
【請求項２】
前記コンタクトレンズ装着器具が、
手持ち軸と、
当該コンタクトレンズ着脱器具の一端に位置し、二股形状である上端部と、
当該コンタクトレンズ着脱器具の他端に位置し、一角形状である下端部と、を有し、
前記上端部の両先端が、前記コンタクトレンズを粘着させるための粘着性部材を有し、
前記下端部の先端が、先の広がったラッパ型の外形状であるラッパ型部材を有し、
前記ラッパ型部材の先端が、前記コンタクトレンズの湾曲面が自然な形状で埋め込まれるほどに窪んだ形状である開口部を有し、
前記手持ち軸から前記上端部へ掛けての形状及び前記手持ち軸から前記下端部へ掛けての形状が、弓なりに曲がった形状であり、
前記開口部が、前記手持ち軸から前記下端部へ掛けての弓なりに曲がった方向を向いており、
前記上端部両端の前記粘着性部材で眼球上の前記コンタクトレンズを挟み取ることによって、前記眼球上のコンタクトレンズを取り外し、
眼球に接する面を外側に向けて前記開口部に載置させた前記コンタクトレンズを眼球上に取り付けるコンタクトレンズ着脱器具であって、
前記コンタクトレンズ装着器具の所定位置が、前記ラッパ型部材が有する前記開口部であることを特徴とする請求項１に記載のコンタクトレンズ装着補助具。
【請求項３】
シリコンを材料とすることを特徴とする請求項１又は２に記載のコンタクトレンズ装着補助具。
【発明の詳細な説明】
【技術分野】
【０００１】
コンタクトレンズを手で触れることなく収納容器から取り出し、取り出したコンタクトレンズをコンタクトレンズ装着器具に載置させるための器具の技術に関する。
【背景技術】
【０００２】
近年、コンタクトレンズの取り付け及び取り外しの両方の動作を容易にするための器具の開発が盛んに行われている。
【０００３】
たとえば、特許文献１では、コンタクトレンズ初心者やコンタクトレンズの着脱が苦手な人であっても、取り付けの動作が容易であると共に、取り外しの動作が容易で、かつ、目に負担を掛けないコンタクトレンズ着脱器具が提案されている。
【先行技術文献】
【特許文献】
【０００４】
【特許文献１】特開２０１２−１３０６３８号公報
【発明の概要】
【発明が解決しようとする課題】
【０００５】
しかしながら、上記技術においては、コンタクトレンズを収納容器から取り出して、器具上の所定位置にコンタクトレンズを置く動作の中で、コンタクトレンズに手が触れ、雑菌を付着させることになるため、不衛生であるという問題があった。
【０００６】
また、上記技術においては、装着者が爪を伸ばしていたり付け爪をしていたりすると、装着者自身の手によってコンタクトレンズを収納容器から取り出す動作及び器具上の所定位置にコンタクトレンズを載置させる動作が難しいという問題もあった。
【０００７】
そこで、本発明では、上記問題点に鑑み、コンタクトレンズを収納容器から取り出す動作及び取り出したコンタクトレンズを装着用器具に載置させる動作が容易であると共に、これらの動作を衛生的に行うコンタクトレンズ装着補助具を提供することを目的とする。
【課題を解決するための手段】
【０００８】
開示するコンタクトレンズ装着補助具の一形態は、コンタクトレンズ収納容器から直接手で触れることなくコンタクトレンズを取り出し、該コンタクトレンズに直接手で触れることなく該コンタクトレンズを目に装着するためのコンタクトレンズ装着器具へ載置させるためのコンタクトレンズ装着補助具であって、前記コンタクトレンズの装着者が手で持つ部位であって、棒状の柄部と、前記収納容器内に収納され、液体で表面が濡れた状態の前記コンタクトレンズを、該液体を介して付着させることによって、前記収納容器から前記コンタクトレンズを取り出す頭部と、を有し、前記柄部の下部が、当該コンタクトレンズ装着補助具を平らな面に静置させるために平たくなっており、前記頭部が、前記柄部が成す軸に対し斜め上方を向いており、かつ、下方向に反り、上面及び下面が丸みを帯びた匙のような形状をしており、前記頭部の下面に、前記コンタクトレンズの凹面を付着させ、付着させた該コンタクトレンズの凸面を前記コンタクトレンズ装着器具の所定位置に載置させることを特徴とする。
【０００９】
また、開示するコンタクトレンズ装着補助具の一形態は、上記構成に加え、前記コンタクトレンズ装着器具が、手持ち軸と、当該コンタクトレンズ着脱器具の一端に位置し、二股形状である上端部と、当該コンタクトレンズ着脱器具の他端に位置し、一角形状である下端部と、を有し、前記上端部の両先端が、前記コンタクトレンズを粘着させるための粘着性部材を有し、前記下端部の先端が、先の広がったラッパ型の外形状であるラッパ型部材を有し、前記ラッパ型部材の先端が、前記コンタクトレンズの湾曲面が自然な形状で埋め込まれるほどに窪んだ形状である開口部を有し、前記手持ち軸から前記上端部へ掛けての形状及び前記手持ち軸から前記下端部へ掛けての形状が、弓なりに曲がった形状であり、前記開口部が、前記手持ち軸から前記下端部へ掛けての弓なりに曲がった方向を向いており、前記上端部両端の前記粘着性部材で眼球上の前記コンタクトレンズを挟み取ることによって、前記眼球上のコンタクトレンズを取り外し、眼球に接する面を外側に向けて前記開口部に載置させた前記コンタクトレンズを眼球上に取り付けるコンタクトレンズ着脱器具であって、前記コンタクトレンズ装着器具の所定位置が、前記ラッパ型部材が有する前記開口部であることを特徴とする。
また、開示するコンタクトレンズ装着補助具の一形態は、上記構成に加え、シリコンを材料とすることを特徴とする。
【発明の効果】
【００１０】
開示するコンタクトレンズ装着補助具は、コンタクトレンズを収納容器から取り出す動作及び取り出したコンタクトレンズを装着用器具に載置させる動作が容易であると共に、これらの動作を衛生的に行うことができる。
【図面の簡単な説明】
【００１１】
【図１】本実施の形態に係るコンタクトレンズ装着補助具の斜視図である。
【図２】本実施の形態に係るコンタクトレンズ装着補助具の側面図である。
【図３】本実施の形態に係るコンタクトレンズ装着補助具の断面図である。
【図４】本実施の形態に係るコンタクトレンズ装着器具の斜視図である。
【図５】本実施の形態に係るコンタクトレンズ装着器具の断面図である。
【図６】容器に収納されたコンタクトレンズの一例を示す図である。
【図７】本実施の形態に係るコンタクトレンズ装着補助具にコンタクトレンズが付着した状態を示す図である。
【図８】本実施の形態に係るコンタクトレンズ装着器具の使用状態の一例を示す図である。
【発明を実施するための形態】
【００１２】
図面を参照しながら、本発明を実施するための形態について説明する。
（本実施の形態に係るコンタクトレンズ装着補助具の構造）
【００１３】
図１乃至３を用いて、本実施の形態に係るコンタクトレンズ装着補助具（以下、単に「装着補助具」という。）１００の構造について説明する。図１は、装着補助具１００の全体構成を説明するための斜視図であり、図２及び図３は、装着補助具１００の特徴を説明するための側面図及び断面図である。
【００１４】
図１で示すように、装着補助具１００は、柄部１１０、頭部１２０を有する。柄部１１０は、コンタクトレンズ１５０の装着者１６０が操作するときに指で摘まむ部位であり、棒状の形状をしている。また、装着補助具１００は、衛生上、シリコンを材料とすることが好適である。
【００１５】
図２及び３で示すように、柄部１１０は、装着補助具１００を平らな面に置いたとき、装着補助具１００の姿勢が安定するように、下部が平らになっている。なお、柄部１１０は、下部全体が平らになっている形態でも良く、下部の一部であって、載置する平らな面と接地する部位のみが平らになっている形態でも良い。このような形状にすることで、未使用時、頭部１２０が不衛生なものに触れない状態で装着補助具１００の姿勢を安定させることができる。
【００１６】
図２及び図３で示すように、頭部１２０は、棒状の柄部１１０が成す軸に対し斜め上方を向いている。このような形状にすることと柄部１１０下部の形状とを組み合わせることで、装着補助具１００の未使用時、頭部１２０が不衛生なものに触れない状態を保たせることができる。また、このような形状にすることによって、柄部１１０を掴んだ状態での操作も容易になる。
【００１７】
また、頭部１２０は、下方に反りを有し、上面及び下面が丸みを帯びた匙のような形状である。このような形状にすることによって、容器１４０に収納されたコンタクトレンズ１５０を、手で触れずに取り出すことができる。
【００１８】
頭部１２０は、コンタクトレンズの収納容器１４０に収納され、表面が液体で濡れた状態のコンタクトレンズ１５０を、丸みを帯びた頭部１２０下面において該液体を介して付着させることによって、収納容器１４０からコンタクトレンズ１５０を取り出す。ここで、液体とは、コンタクトレンズ１５０の洗浄・保存用液体や水などである。なお、コンタクトレンズ１５０は、通常、撓った形状であって、凸の面と凹の面とを有するものであるが、装着補助具１００では、頭部１２０下面（凸の面）に、コンタクトレンズ１５０の凹の面を付着させた状態で、収納容器１４０からコンタクトレンズ１５０を取り出す使用法が好適である。ただし、コンタクトレンズ１５０を頭部１２０上面（凹の面）に付着させ、又は載せた状態で、収納容器１４０からコンタクトレンズ１５０を取り出す使用法を妨げるものではない。
（本実施の形態に係るコンタクトレンズ装着器具の構造）
【００１９】
図４及び図５を用いて、本実施の形態に係るコンタクトレンズ装着器具（以下、単に「装着器具」という。）１３０の構造について説明する。図４は、装着器具１３０の全体構成を説明するための斜視図であり、図５は、装着器具１３０の特徴を説明するための断面図である。
【００２０】
装着器具１３０は、コンタクトレンズ１５０の眼球への着脱を容易かつ清潔に行うためのコンタクトレンズ着脱器具である。図４及び図５で示すように、装着器具１３０は、手持ち軸１７０、上端部１８０、下端部１９０を有する。
【００２１】
上端部１８０は、装着器具１３０の一端に位置し、二股形状である。上端部１８０の両先端は、コンタクトレンズ１５０を粘着させ、又は掴み取るための粘着性部材２００を有する。
【００２２】
下端部１９０は、装着器具１３０の他端に位置し、一角形状である。下端部１９０の先端は、先の広がったラッパ型の外形状であるラッパ型部材２１０を有し、ラッパ型部材２１０の先端は、コンタクトレンズ１５０の湾曲面が自然な形状で埋め込まれるほどに窪んだ形状である開口部２２０を有する。
【００２３】
装着器具１３０においては、手持ち軸１７０から上端部１８０へ掛けての形状及び手持ち軸１７０から下端部１９０へ掛けての形状が、弓なりに曲がった形状である。
開口部２２０は、手持ち軸１７０から下端部１９０へ掛けての弓なりに曲がった方向を向いている。
【００２４】
装着器具１３０においては、上端部１８０両端に設置される粘着性部材２００で眼球上のコンタクトレンズ１５０を挟み取ることによって、眼球上のコンタクトレンズ１５０を取り外す。また、装着器具１３０においては、眼球に接する面（凹の面）を外側に向けた状態でコンタクトレンズ１５０を開口部２２０に載置させ、当該コンタクトレンズ１５０を装着器具１３０（開口部２２０）ごと眼球に近付けていき、取り付ける。
【００２５】
装着補助具１００は、頭部１２０下面に、撓ったコンタクトレンズ１５０の凹の面を付着させた状態で、収納容器１４０からコンタクトレンズ１５０を取り出し、取り出したコンタクトレンズ１５０の凸の面（頭部１２０に付着していない面）を開口部２２０の窪みに載置させる。
（本実施の形態に係るコンタクトレンズ装着補助具の使用方法）
【００２６】
図６乃至８を用いて、装着補助具１００の使用方法について説明する。図６は、容器１４０に収納されたコンタクトレンズ１５０の一形態を示す図であり、図７は、装着補助具１００にコンタクトレンズ１５０を付着させた状態を示す図であり、図８は、装着補助具１００によってコンタクトレンズ１５０を装着器具１３０に載置させた状態を示す図である。
図６で示すように、コンタクトレンズ１５０は、収納容器１４０の中で液体に浮かべられた状態で収納されている。
第一段階として、装着者１６０は、収納容器１４０中の液体に、装着補助具１００の頭部１２０を差し入れる。
【００２７】
次に第二段階として、装着者１６０は、液体中に浮かぶコンタクトレンズ１５０の凹の面に、頭部１２０下面を近付けると共に当該下面にコンタクトレンズ１５０を付着させ、コンタクトレンズ１５０を収納容器１４０から取り出す。そうすると、図７で示すように、収納容器１４０から取り出されたコンタクトレンズ１５０は、頭部１２０の下面に付着した状態となる。
【００２８】
第三段階として、装着者１６０は、頭部１２０下面に付着したコンタクトレンズ１５０を、装着器具１３０の開口部２２０の窪みに、凸の面（外側の面）が接するように載置させる。そうすると、図８で示すように、コンタクトレンズ１５０は、装着者１６０の眼球に接する凹の面を外側に向けた状態で、装着器具１３０に載置される。
【００２９】
最後に、第四段階として、装着者１６０は、開口部２２０に載置されたコンタクトレンズ１５０を眼球に近付けていき、コンタクトレンズ１５０を眼球上に装着する。
【００３０】
なお、装着補助具１００は、頭部１２０上面でコンタクトレンズ１５０を収納容器１４０からすくい取り、装着器具１４０を介さず、すくい取ったコンタクトレンズ１５０を直接眼球に取り付ける使用法もある。
【００３１】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３２】
１００  コンタクトレンズ装着補助具
１１０  柄部
１２０  頭部
１３０  コンタクトレンズ装着器具（コンタクトレンズ着脱器具）
１４０  コンタクトレンズ収納容器
１５０  コンタクトレンズ
１６０  コンタクトレンズの装着者
１７０  手持ち軸
１８０  上端部
１９０  下端部
２００  粘着性部材
２１０  ラッパ型部材
２２０  開口部
【図１】
2014115418.tif 000003
【図２】
2014115418.tif 000004
【図３】
2014115418.tif 000005
【図４】
2014115418.tif 000006
【図５】
2014115418.tif 000007
【図６】
2014115418.tif 000008
【図７】
2014115418.tif 000009
【図８】
2014115418.tif 000010